(57)【要約】【課題】波長交互配置方式の両方向アド／ドロップ多重化器を提供する。【解決手段】双方向アド／ドロップ多重化器は、光ファイバと接続された第１端に入力された順方向光信号を第２端に出力し、第３端に入力された逆方向光信号を第１端に出力する第１インターリーバ（ＩＬ）、第１端に入力された順方向光信号と第２端に入力された逆方向光信号を波長別にインターリービングし第３端から出力する第２ＩＬ、インターリービングされた光信号に選択チャネルを追加又は除去するアド／ドロップ多重化部、第２端で受信したインターリービングされた光信号のうち逆方向光信号は第１端を通じて第１ＩＬに出力し順方向光信号は第３端から出力する第３ＩＬ、光ファイバと接続された第２端に入力された逆方向光信号は第１端から第２ＩＬに出力し、第３ＩＬから第３端に入力された順方向光信号は第２端に出力する第４ＩＬ、を含む。【選択図】　図５
2004007662.tif 000002
【特許請求の範囲】
【請求項１】
それぞれ多数のチャネルから構成された光信号を送受信する第１、第２送受信部と、前記第１、第２送受信部の間に光ファイバで接続され、前記多数のチャネルのうち選択したチャネルを追加し又は除去する双方向アド／ドロップ多重化器と、を含む双方向光伝送システムにおいて、前記双方向アド／ドロップ多重化器は、
前記光ファイバと接続された第１端を通じて入力された順方向光信号を第２端に出力し、第３端を通じて入力された逆方向光信号を第１端に出力する第１インターリーバと；
第１端を通じて入力された前記順方向光信号と第２端を通じて入力された逆方向光信号を波長別にインターリービングして第３端から出力する第２インターリーバと；
前記インターリービングされた光信号に選択したチャネルを追加し、又は、前記インターリービングされた光信号から選択したチャネルを除去するアド／ドロップ多重化部と；
第２端を通じて受信した前記インターリービングされた光信号のうち、逆方向光信号は第１端を通じて前記第１インターリーバに出力し、順方向光信号は第３端を通じて出力する第３インターリーバと；
前記光ファイバと接続された第２端を通じて入力された逆方向光信号は第１端を通じて前記第２インターリーバに出力し、前記第３インターリーバから第３端を通じて入力された順方向光信号は第２端に出力する第４インターリーバと；を含むことを特徴とする波長交互配置方式の双方向アド／ドロップ多重化器。
【請求項２】
前記第２インターリーバとアド／ドロップ多重化部との間に配置され、前記インターリービングされた光信号を増幅する第１光増幅器と；
前記アド／ドロップ多重化部と第３インターリーバとの間に配置され、前記インターリービングされた光信号を増幅する第２光増幅器と；をさらに含む請求項１記載の波長交互配置方式の双方向アド／ドロップ多重化器。
【請求項３】
前記アド／ドロップ多重化部と第２光増幅器との間に配置され、前記インターリービングされた光信号の色分散を補償する分散補償モジュールをさらに含む請求項２記載の波長交互配置方式の双方向アド／ドロップ多重化器。
【請求項４】
それぞれ多数のチャネルから構成された光信号を送受信する第１、第２送受信部と、前記第１、第２送受信部の間に光ファイバで接続され、前記多数のチャネルのうち選択したチャネルを追加又は除去する双方向アド／ドロップ多重化器と、を含む双方向光伝送システムにおいて、前記双方向アド／ドロップ多重化器は、
前記光ファイバと接続された第１端を通じて入力された順方向光信号を第２端に出力し、第３端を通じて入力された逆方向光信号を第１端に出力する第１インターリーバと；
第１端を通じて入力された前記順方向光信号と第２端を通じて入力された逆方向光信号を波長別にインターリービングして第３端から出力するカップラと；
前記インターリービングされた光信号に選択したチャネルを追加し、又は、前記インターリービングされた光信号から選択したチャネルを除去するアド／ドロップ多重化部と；
第２端を通じて受信した前記インターリービングされた光信号のうち、逆方向光信号は第１端を通じて前記第１インターリーバの第３端に出力し、順方向光信号は第３端から出力する第２インターリーバと；
前記光ファイバと接続された第２端を通じて入力された逆方向光信号は第１端から前記カップラに出力し、前記第２インターリーバから第３端を通じて入力された順方向光信号は第２端に出力する第３インターリーバと；を含むことを特徴とする波長交互配置方式の双方向アド／ドロップ多重化器。
【請求項５】
前記カップラは３ｄＢカップラである請求項４記載の波長交互配置方式の双方向アド／ドロップ多重化器。
【請求項６】
前記カップラとアド／ドロップ多重化部との間に配置され、前記インターリービングされた光信号を増幅する第１光増幅器と；
前記アド／ドロップ多重化部と第２インターリーバとの間に配置され、前記インターリービングされた光信号を増幅する第２光増幅器と；をさらに含む請求項４記載の波長交互配置方式の双方向アド／ドロップ多重化器。
【請求項７】
前記カップラは３ｄＢカップラである請求項６記載の波長交互配置方式の双方向アド／ドロップ多重化器。
【請求項８】
前記アド／ドロップ多重化部と第２光増幅器との間に配置され、前記インターリービングされた光信号の色分散を補償する分散補償モジュールをさらに含む請求項６記載の波長交互配置方式の双方向アド／ドロップ多重化器。
【請求項９】
前記カップラは３ｄＢカップラである請求項８記載の波長交互配置方式の双方向アド／ドロップ多重化器。
【発明の詳細な説明】
【０００１】
【発明の属する技術分野】
本発明は、波長分割多重方式（Ｗａｖｅｌｅｎｇｔｈ　Ｄｉｖｉｓｉｏｎ　Ｍｕｌｔｉｐｌｅｘｉｎｇ：ＷＤＭ）の光伝送システムに関し、特に、システムに備えられるアド／ドロップ多重化器（ａｄｄ／ｄｒｏｐ　ｍｕｌｔｉｐｌｅｘｅｒ）に関する。
【０００２】
【従来の技術】
波長分割多重方式の光伝送システムは、１本の光ファイバを通じて相異なる波長を有する多数のチャネル（ｃｈａｎｎｅｌ）を伝送することから伝送効率を高めることができ、また、伝送速度に関わらず光信号を伝送できるので、伝送容量が増えつつある超高速インターネット網に有効に使用されている。かかる波長分割多重方式の光伝送システムを利用して長距離伝送を行う場合、伝送距離に比例して光信号の強さが減衰するので、所定距離ごとに光増幅器（Ｏｐｔｉｃａｌ　Ａｍｐｌｉｆｉｅｒ：ＯＡ）を設置し、減衰した光信号を増幅しなければならない。また、チャネルあたりの伝送速度が１０Ｇｂ／ｓを超えると、色分散が生じ光信号の特性が低下するので、長距離伝送では各ノード（ｎｏｄｅ）で色分散を補償しなければならない。このような光通信網におけるポイント対ポイント接続では二つの終端ノード間で光信号を効率的に利用できないため、中間ノードで電気的な変換をすることなく望むチャネルを除去（ｄｒｏｐ）したり新規のチャネルを追加（ａｄｄ）できるアド／ドロップ多重化器が要求される。
【０００３】
図１は、従来の一方向アド／ドロップ多重化器を備えた波長分割多重方式の光伝送システムを示す図である。この光伝送システムは、第１送受信部１１０と、順方向及び逆方向アド／ドロップ多重化器１７５、２００と、第２送受信部２２０と、第１送受信部１１０と第２送受信部２２０を接続する順方向、逆方向光ファイバ１６５、１７０と、から構成される。
【０００４】
第１送受信部１１０は、第１光送信部１１５と、第１光受信部１５０と、第１、第２、第１０光増幅器１３０、１４０、１４５と、第１分散補償モジュール（Ｄｉｓｐｅｒｓｉｏｎ　Ｃｏｍｐｅｎｓａｔｉｏｎ　Ｍｏｄｕｌｅ：ＤＣＭ）１３５とから構成される。第１光送信部１１５は、相異なる波長を有するチャネルを出力する多数の光送信器１２０と、多数の光送信器１２０から入力される多数のチャネルを順方向光信号に波長分割多重化して出力する第１波長分割多重化器１２５とから構成される。
【０００５】
第１、第２光増幅器１３０、１４０は、入力された順方向光信号を増幅して出力するものであって、それぞれ、エルビウムイオンの誘導放出を利用して入力された光信号を増幅するエルビウム添加光ファイバ（Ｅｒｂｉｕｍ　Ｄｏｐｅｄ　Ｆｉｂｅｒ：ＥＤＦ）と、エルビウムイオンを励起するためのポンピング光を出力するポンピング光源（ｐｕｍｐｉｎｇ　ｓｏｕｒｃｅ）と、ポンピング光をエルビウム添加光ファイバに入力するための波長選択結合器とから構成することができる。
【０００６】
第１分散補償モジュール１３５は、入力された順方向光信号の色分散を補償する。
【０００７】
第１０光増幅器１４５は、逆方向光ファイバ１７０を通じて入力された逆方向光信号を増幅して出力する。
【０００８】
第１光受信部１５０は、逆方向光信号を波長に従って多数のチャネルに逆多重化する第１波長分割逆多重化器１５５と、それぞれ入力された該当チャネルを電気信号に変換する多数の光受信器１６０とから構成される。
【０００９】
順方向アド／ドロップ多重化器１７５は、入力された順方向光信号を増幅する第３光増幅器１８０と、順方向光信号に選択したチャネルを追加し、又は、順方向光信号から選択したチャネルを除去する第１アド／ドロップ多重化部１８５と、順方向光信号の色分散を補償する第２分散補償モジュール１９０と、順方向光信号を増幅する第４光増幅器１９５とから構成される。
【００１０】
第２送受信部２２０は、第２光送信部２４５と、第２光受信部２３０と、第５〜第７光増幅器２２５、２６０、２７０と、第３分散補償モジュール２６５とから構成される。
【００１１】
第５光増幅器２２５は、順方向光ファイバ１６５を通じて入力された順方向光信号を増幅して出力する。
【００１２】
第２光受信部２３０は、順方向光信号を波長に従って多数のチャネルに逆多重化する第２波長分割逆多重化器２３５と、それぞれ入力された該当チャネルを電気信号に変換する多数の光受信器２４０とから構成される。
【００１３】
第２光送信部２４５は、相異なる波長を有するチャネルを出力する多数の光送信器２５０と、多数の光送信器２５０から入力された多数のチャネルを逆方向光信号に波長分割多重化して出力する第２波長分割多重化器２５５とから構成される。
【００１４】
第６、第７光増幅器２６０、２７０は、逆方向光信号を増幅して出力し、第３分散補償モジュール２６５は、順方向光信号の色分散を補償する。
【００１５】
逆方向アド／ドロップ多重化器２００は、入力された逆方向光信号を増幅する第８光増幅器２０２と、逆方向光信号に選択したチャネルを追加し、又は、逆方向光信号から選択したチャネルを除去する第２アド／ドロップ多重化部２０５と、逆方向光信号の色分散を補償する第４分散補償モジュール２１０と、逆方向光信号を増幅する第９光増幅器２１５とから構成される。
【００１６】
前述のように、従来の一方向アド／ドロップ多重化器は、入力されて波長分割多重化された光信号を波長分割逆多重化器を利用して波長別に分離し、選択したチャネルを除去又は追加する。その後、波長分割多重化器を利用して分離したチャネルを多重化して出力する。
【００１７】
一方、この種の従来の一方向アド／ドロップ多重化器を備えた波長分割多重方式の光伝送システムは、双方向通信のために少なくとも２本の光ファイバを必要とする。しかし、順方向及び逆方向光信号の伝送経路（順方向及び逆方向光ファイバ）が異なっていることから同一の波長帯域を利用することができ、その結果として同一の波長帯域を有する同一性能の光増幅器を必要とする。
【００１８】
しかし、このような従来の一方向アド／ドロップ多重化器を備えた波長分割多重方式の光伝送システムは、隣接したチャネル間の干渉を考慮する場合、チャネルどうしの波長間隔が狭いと、１本の光ファイバを通じて相対的に多数のチャネルを伝送できず、双方向通信を行うために少なくとも２本の光ファイバを必要とし、これにより、光素子の数が２倍に増加してしまう問題があった。
【００１９】
そこで、光ファイバの利用効率を高めるために、１本の光ファイバを通じて双方向通信が可能な双方向アド／ドロップ多重化器を備えた波長分割多重方式の光伝送システムが提案されている。
【００２０】
図２は、従来の双方向アド／ドロップ多重化器を備えた波長分割多重方式の光伝送システムを示す図であり、図３は、図２に示した光伝送システムに適用される波長の配置を示す図である。ここで、光伝送システムは、第１送受信部３１０と、双方向アド／ドロップ多重化器３７５と、第２送受信部４３０と、第１送受信部３１０と第２送受信部４３０を接続する光ファイバ３７０と、から構成される。
【００２１】
第１送受信部３１０は、第１光送信部３１５、第１光受信部３５５、第１〜第３光増幅器３３０、３４０、３５０、第１分散補償モジュール３３５、及び第１サーキュレータ（ｃｉｒｃｕｌａｔｏｒ）３４５から構成される。
【００２２】
第１光送信部３１５は、相異なる波長を有するチャネルを出力する多数の光送信器３２０と、多数の光送信器３２０から入力された多数のチャネルを順方向光信号に波長分割多重化して出力する第１波長分割多重化器３２５とから構成される。
【００２３】
第１、第２光増幅器３３０、３４０は入力された順方向光信号を増幅して出力し、第１分散補償モジュール３３５は入力された順方向光信号の色分散を補償する。
【００２４】
第１サーキュレータ３４５は、第１端を通じて入力された順方向光信号を第２端から出力し、第２端を通じて入力された逆方向光信号を第３端から出力する。
【００２５】
第３光増幅器３５０は、第１サーキュレータ３４５から入力された逆方向光信号を増幅して出力する。
【００２６】
第１光受信部３５５は、増幅された逆方向光信号を波長に従って多数のチャネルに逆多重化する第１波長分割逆多重化器３６０と、それぞれ入力された該当チャネルを電気信号に変換する多数の光受信器３６５とから構成される。
【００２７】
双方向アド／ドロップ多重化器３７５は、第１、第２ＤＷＤＭカップラ（ＤｅｎｓｅＷａｖｅｌｅｎｇｔｈ　Ｄｉｖｉｓｉｏｎ　Ｍｕｌｔｉｐｌｅｘｉｎｇ　ｃｏｕｐｌｅｒ）３８０、４０５と、第１〜第４光増幅器３８５、４００、４１０、４２５と、第１、第２アド／ドロップ多重化部３９０、４１５と、第２、第３分散補償モジュール３９５、４２０とから構成される。第１ＤＷＤＭカップラ３８０は、第１サーキュレータ３４５から入力された順方向光信号を第２端に出力し、第３端を通じて入力された逆方向光信号を第１端に出力する。第４光増幅器３８５及び第５光増幅器４００は、入力された順方向光信号を増幅し、第１アド／ドロップ多重化部３９０は、順方向光信号に選択したチャネルを追加し、又は、順方向光信号から選択したチャネルを除去し、第２分散補償モジュール３９５は順方向光信号の色分散を補償する。
【００２８】
第２ＤＷＤＭカップラ４０５は、第５光増幅器４００から入力された順方向光信号を第２端から出力し、第２端を通じて入力された逆方向光信号は第３端から出力する。第６光増幅器４１０及び第７光増幅器４２５は入力された逆方向光信号を増幅し、第２アド／ドロップ多重化部４１５は逆方向光信号に選択したチャネルを追加し、又は、逆方向光信号から選択したチャネルを除去し、第３分散補償モジュール４２０は逆方向光信号の色分散を補償する。
【００２９】
第２送受信部４３０は、第２光送信部４６０、第２光受信部４４５、第８〜第１０光増幅器４４０、４７５、４９０、第４分散補償モジュール４８０、及び第２サーキュレータ４３５から構成される。
【００３０】
第２サーキュレータ４３５は、第１端を通じて入力された順方向光信号を第３端から出力し、第２端を通じて入力された逆方向光信号を第１端から出力する。
【００３１】
第８光増幅器４４０は入力された順方向光信号を増幅して出力する。
【００３２】
第２光受信部４４５は、増幅された順方向光信号を波長に従って多数のチャネルに逆多重化する第２波長分割逆多重化器４５０と、それぞれ入力された該当チャネルを電気信号に変換する多数の光受信器４５５とから構成される。
【００３３】
第２光送信部４６０は、相異なる波長を有するチャネルを出力する多数の光送信器４６５と、多数の光送信器４６５から入力された多数のチャネルを逆方向光信号に波長分割多重化して出力する第２波長分割多重化器４７０とから構成される。
【００３４】
第９、第１０光増幅器４７５、４９０は、入力された逆方向光信号を増幅して出力し、第４分散補償モジュール４８０は、入力された逆方向光信号の色分散を補償する。
【００３５】
このような、従来の双方向アド／ドロップ多重化器を備えた波長分割多重方式の光伝送システムでは、第１送受信部と双方向アド／ドロップ多重化器との間、及び、双方向アド／ドロップ多重化器と第２送受信部との間において、１本の光ファイバ内に順方向及び逆方向光信号を同時に伝送することができる。しかし、双方向アド／ドロップ多重化器は、実際には２本の光ファイバを利用する従来の一方向方式と同一であるので、光ファイバの利用効率を高めることはできるが、一方向方式と比べて使用する光素子の数はむしろ増加するといった問題がある。
【００３６】
また、従来の双方向アド／ドロップ多重化器を備えた波長分割多重方式の光伝送システムにおける波長配置は、順方向及び逆方向光信号が一方向方式と同様に同一の波長帯域を使用することができず、図３に示すように、短波長帯域（ｂｌｕｅ　ｂａｎｄ）３０１と長波長帯域（ｒｅｄ　ｂａｎｄ）３０２とに分離して使用するしかないため、波長帯域が一方向方式と比べ２倍も広くなってしまう問題もある。
【００３７】
【発明が解決しようとする課題】
したがって、本発明は、このような従来の問題点を鑑みて案出されたもので、光ファイバの利用効率を高め、波長帯域を有効に使用しながら、一方向方式と比べて使用する光素子の数を減少させ得る波長交互配置方式（ｉｎｔｅｒｌｅａｖｉｎｇ）の双方向アド／ドロップ多重化器を提供することにその目的がある。
【００３８】
【課題を解決するための手段】
このような目的を達成する本発明によれば、それぞれ多数のチャネルから構成された光信号を送受信する第１、第２送受信部と、第１、第２送受信部の間に光ファイバで接続され、多数のチャネルのうち選択したチャネルを追加又は除去する双方向アド／ドロップ多重化器と、を含む双方向光伝送システムにおいて、双方向アド／ドロップ多重化器は、光ファイバと接続された第１端を通じて入力された順方向光信号を第２端に出力し、第３端を通じて入力された逆方向光信号を第１端に出力する第１インターリーバと；第１端を通じて入力された順方向光信号と第２端を通じて入力された逆方向光信号を波長別にインターリービングして第３端から出力する第２インターリーバと；インターリービングされた光信号に選択したチャネルを追加し、又は、インターリービングされた光信号から選択したチャネルを除去するアド／ドロップ多重化部と；第２端を通じて受信したインターリービングされた光信号のうち、逆方向光信号は第１端を通じて第１インターリーバに出力し、順方向光信号は第３端から出力する第３インターリーバと；光ファイバと接続された第２端を通じて入力された逆方向光信号は第１端から第２インターリーバに出力し、第３インターリーバから第３端を通じて入力された順方向光信号は第２端に出力する第４インターリーバと；を含むことを特徴とする波長交互配置方式の双方向アド／ドロップ多重化器を提供する。
【００３９】
この波長交互配置方式の双方向アド／ドロップ多重化器は、第２インターリーバとアド／ドロップ多重化部との間に配置され、インターリービングされた光信号を増幅する第１光増幅器と；アド／ドロップ多重化部と第３インターリーバとの間に配置され、インターリービングされた光信号を増幅する第２光増幅器と；をさらに含むとよい。
【００４０】
アド／ドロップ多重化部と第２光増幅器との間に配置され、インターリービングされた光信号の色分散を補償する分散補償モジュールをさらに含むと好ましい。
【００４１】
また、本発明では、それぞれ多数のチャネルから構成された光信号を送受信する第１、第２送受信部と、第１、第２送受信部の間に光ファイバで接続され、多数のチャネルのうち選択したチャネルを追加又は除去する双方向アド／ドロップ多重化器と、を含む双方向光伝送システムにおいて、双方向アド／ドロップ多重化器は、光ファイバと接続された第１端を通じて入力された順方向光信号を第２端に出力し、第３端を通じて入力された逆方向光信号を第１端に出力する第１インターリーバと；第１端を通じて入力された順方向光信号と第２端を通じて入力された逆方向光信号を波長別にインターリービングして第３端から出力するカップラと；インターリービングされた光信号に選択したチャネルを追加し、又は、インターリービングされた光信号から選択したチャネルを除去するアド／ドロップ多重化部と；第２端を通じて受信したインターリービングされた光信号のうち、逆方向光信号は第１端を通じて第１インターリーバの第３端に出力し、順方向光信号は第３端から出力する第２インターリーバと；光ファイバと接続された第２端を通じて入力された逆方向光信号は第１端からカップラに出力し、第２インターリーバから第３端を通じて入力された順方向光信号は第２端に出力する第３インターリーバと；を含むことを特徴とする波長交互配置方式の双方向アド／ドロップ多重化器をも提供する。
【００４２】
カップラは３ｄＢカップラであるとよい。
【００４３】
この波長交互配置方式の双方向アド／ドロップ多重化器は、カップラとアド／ドロップ多重化部との間に配置され、インターリービングされた光信号を増幅する第１光増幅器と；アド／ドロップ多重化部と第２インターリーバとの間に配置され、インターリービングされた光信号を増幅する第２光増幅器と；をさらに含むと好ましい。ここで、カップラは３ｄＢカップラであるとよい。
【００４４】
アド／ドロップ多重化部と第２光増幅器との間に配置され、インターリービングされた光信号の色分散を補償する分散補償モジュールをさらに含むようにしてもよい。ここで、カップラは３ｄＢカップラであるとよい。
【００４５】
【発明の実施の形態】
以下、添付図面を参照しつつ本発明の実施例を詳細に説明する。図面中、同一構成要素には極力、同一符号を共通使用する。なお、周知技術については適宜説明を省略するものとする。
【００４６】
また、以下、インターリーバ及びカップラのそれぞれは第１端〜第３端を有し、第１端〜第３端は図４、図５及び図７で１、２及び３の参照符号で表示する。さらに、インターリーバ又はカップラが＃＃＃の参照符号を有する場合は、インターリーバ又はカップラの第ｎ端を＃＃＃ｎの参照符号で表示する。このとき、ｎは１、２又は３である。
【００４７】
図４は、本発明の一実施例によるインターリーバの動作を説明するための図である。インターリーバ（ＩｎｔｅｒＬｅａｖｅｒ：ＩＬ）５００は、第１端５００１に入力された波長分割多重化された光信号のうち、奇数チャネルを第２端５００２に、偶数チャネルを第３端５００３に出力し、第２端５００２に入力された奇数チャネルと第３端５００３に入力された偶数チャネルを第１端５００１に出力するように機能する。
【００４８】
図５は本発明の好ましい第１実施例による波長交互配置方式の双方向アド／ドロップ多重化器を備えた波長分割多重方式の光伝送システムの構成を示す図であり、図６は図５に示した光伝送システムに適用される波長配置を示す図である。
【００４９】
第１実施例の光伝送システムは、第１送受信部５１０と、双方向アド／ドロップ多重化器５８０と、第２送受信部６２５と、第１送受信部５１０と第２送受信部６２５とを接続する光ファイバ５７０と、から構成される。
【００５０】
第１送受信部５１０は、第１光送信部５１５、第１光受信部５５５、第１〜第３光増幅器５３０、５４０、５５０、第１分散補償モジュール５３５、及び第１インターリーバ５４５から構成される。
【００５１】
第１光送信部５１５は、相異なる波長を有するチャネルを出力する多数の光送信器５２０と、多数の光送信器５２０から入力された多数のチャネルを順方向光信号に波長分割多重化して出力する第１波長分割多重化器５２５とから構成される。
【００５２】
第１、第２光増幅器５３０、５４０は入力された順方向光信号を増幅して出力し、第１分散補償モジュール５３５は入力された順方向光信号の色分散を補償する。
【００５３】
第１インターリーバ５４５は、第１端５４５１を通じて入力された順方向光信号を第２端５４５２から出力し、第２端５４５２を通じて入力された逆方向光信号を第３端５４５３から出力する。
【００５４】
第３光増幅器５５０は、第１インターリーバ５４５から入力された逆方向光信号を増幅して出力する。
【００５５】
第１光受信部５５５は、逆方向光信号を波長に従って多数のチャネルに逆多重化する第１波長分割逆多重化器５６０と、それぞれ入力された該当チャネルを電気信号に変換する多数の光受信器５６５とから構成される。
【００５６】
双方向アド／ドロップ多重化器５８０は、第２〜第５インターリーバ５８５、５９０、６１５、６２０と、第４、第５光増幅器５９５、６１０と、アド／ドロップ多重化部６００と、第２分散補償モジュール６０５とを含む。
【００５７】
第２インターリーバ５８５は、第１端５８５１を通じて入力された順方向光信号を第２端５８５２から出力し、第３端５８５３を通じて入力された逆方向光信号を第１端５８５１に出力する。この第２インターリーバ５８５において、順方向光信号は光伝送システムの全体波長帯域のうち奇数チャネルから構成され、逆方向光信号は偶数チャネルから構成される。
【００５８】
第３インターリーバ５９０は、第１端５９０１を通じて入力された順方向光信号と第２端５９０２を通じて入力された逆方向光信号をインターリービングして第３端５９０３に出力する。
【００５９】
第４光増幅器５９５は、第３インターリーバ５９０から入力されたインターリービングされた光信号を増幅して出力する。
【００６０】
アド／ドロップ多重化部６００は、インターリービングされた光信号に選択したチャネルを追加し、又は、インターリービングされた光信号から選択したチャネルを除去する。
【００６１】
第２分散補償モジュール６０５は、インターリービングされた光信号の色分散を補償し、第５光増幅器６１０はインターリービングされた光信号を増幅する。
【００６２】
第４インターリーバ６１５は、第２端６１５２を通じて入力されたインターリービングされた光信号のうち、逆方向光信号は第１端６１５１に、順方向光信号は第３端６１５３に出力する。
【００６３】
第５インターリーバ６２０は、第２端６２０２を通じて入力された逆方向光信号を第１端６２０１に出力し、第３端６２０３を通じて入力された順方向光信号は第２端６２０２に出力する。
【００６４】
第２送受信部６２５は、第２光送信部６５５、第２光受信部６４０、第６〜第８光増幅器６３５、６７０、６８０、第３分散補償モジュール６７５、及び第６インターリーバ６３０から構成される。
【００６５】
第６インターリーバ６３０は、第１端６３０１を通じて入力された順方向光信号を第３端６３０３から出力し、第２端６３０２を通じて入力された逆方向光信号を第１端６３０１から出力する。
【００６６】
第６光増幅器６３５は入力された順方向光信号を増幅して出力する。
【００６７】
第２光受信部６４０は、順方向光信号を波長に従って多数のチャネルに逆多重化する第２波長分割逆多重化器６４５と、それぞれ入力された該当チャネルを電気信号に変換する多数の光受信器６５０とから構成される。
【００６８】
第２光送信部６５５は、相異なる波長を有するチャネルを出力する多数の光送信器６６０と、多数の光送信器６６０から入力された多数のチャネルを逆方向光信号に波長分割多重化して出力する第２波長分割多重化器６６５とから構成される。
【００６９】
第７、第８光増幅器６７０、６８０は入力された逆方向光信号を増幅し、第３分散補償モジュール６７５は入力された逆方向光信号の色分散を補償する。
【００７０】
図５に示した光伝送システムに対する波長配置を、図６に示す。
【００７１】
図７は、本発明の好ましい第２実施例による波長交互配置方式の双方向アド／ドロップ多重化器の構成を示す図である。第２実施例の双方向アド／ドロップ多重化器は、第１〜第３インターリーバ７１０、７４５、７５０と、結合器７１５と、第１、第２光増幅器７２０、７４０と、アド／ドロップ多重化部７２５と、分散補償モジュール７３０とから構成される。好ましくは、カップラ７１５は３ｄＢカップラであるとよい。
【００７２】
第１インターリーバ７１０は、第１端７１０１を通じて入力された順方向光信号を第２端７１０２に出力し、第３端７１０３を通じて入力された逆方向光信号を第１端７１０１に出力する。第１インターリーバ７１０において、順方向光信号は光伝送システムの全体波長帯域のうち奇数チャネルから構成され、逆方向光信号は偶数チャネルから構成される。
【００７３】
カップラ７１５、好ましくは３ｄＢカップラは、第１端７１５１を通じて入力された順方向光信号と第２端７１５２を通じて入力された逆方向光信号をインターリービングして第３端７１５３に出力する。
【００７４】
第１光増幅器７２０はカップラ７１５から入力されたインターリービングされた光信号を増幅して出力する。
【００７５】
アド／ドロップ多重化部７２５は、インターリービングされた光信号に選択したチャネルを追加し、又は、インターリービングされた光信号から選択したチャネルを除去する。
【００７６】
分散補償モジュール７３０はインターリービングされた光信号の色分散を補償し、第２光増幅器７４０はインターリービングされた光信号を増幅する。
【００７７】
第２インターリーバ７４５は、第２端７４５２を通じて入力されたインターリービングされた光信号のうち、逆方向光信号は第１端７４５１に、順方向光信号は第３端７４５３に出力する。
【００７８】
第３インターリーバ７５０は、第２端７５０２を通じて入力された逆方向光信号を第１端７５０１に出力し、第３端７５０３を通じて入力された順方向光信号は第２端７５０２に出力する。
【００７９】
【発明の効果】
前述のように構成された本発明の実施例による波長交互配置方式の双方向アド／ドロップ多重化器は、下記の利点を有する。
【００８０】
第一に、双方向伝送により光ファイバの利用効率を高めることができ、従来の双方向アド／ドロップ多重化器と比べ、分散補償モジュール、光増幅器など必要な光素子数を減少することができるので経済的である。
【００８１】
第二に、順方向光信号と逆方向光信号を構成するチャネルをインターリービングして伝送するため、従来と比べ、波長帯域を半分に減らして使用できるので波長帯域の利用効率が高い。
【００８２】
第三に、光増幅器の数を減したため、光伝送システムの安定性を高めることができる。
【図面の簡単な説明】
【図１】従来の一方向アド／ドロップ多重化器を備えた波長分割多重方式の光伝送システムを示す図。
【図２】従来の双方向アド／ドロップ多重化器を備えた波長分割多重方式の光伝送システムを示す図。
【図３】図２に示した光伝送システムで適用される波長配置を示す図。
【図４】本発明によるインターリーバの動作を説明するための図。
【図５】本発明の好ましい第１実施例による波長交互配置方式の双方向アド／ドロップ多重化器を備えた波長分割多重方式の光伝送システムの構成を示す図。
【図６】図５に示した光伝送システムで適用される波長配置を示す図。
【図７】本発明の好ましい第２実施例による波長交互配置方式の双方向アド／ドロップ多重化器の構成を示す図。
【符号の説明】
５１０　第１送受信部
５７０　光ファイバ
５８０　双方向アド／ドロップ多重化器
５８５，５９０，６１５，６２０　第２〜第５インターリーバ
６２５　第２送受信部
５９５，６１０　第４、第５光増幅器
６００　アド／ドロップ多重化部
６０５　第２分散補償モジュール
【図１】
2004007662.tif 000003
【図２】
2004007662.tif 000004
【図３】
2004007662.tif 000005
【図４】
2004007662.tif 000006
【図５】
2004007662.tif 000007
【図６】
2004007662.tif 000008
【図７】
2004007662.tif 000009